(57)【要約】      （修正有）【課題】弁操作レバーによるガス噴出ノズルの開弁操作がより円滑に行えると共に、組み付けが頗る簡単で低コストの内燃機構を提供する。【解決手段】二次ノズル３ｈの頂端に封緘されたノズルプレート４ａと、該ノズルプレート４ａを保持するためのオリフィス用ハウジング４ｂと、該オリフィス用ハウジング４ｂの上位に一定間隔を介して配設された拡散器４ｄと、該拡散器４ｄを囲繞すべく配設された燃焼筒４ｅとを備える。拡散器４ｄは、燃焼筒４ｅの同心位置に支持されると共に、常套の混合管が介在しない分、同燃焼筒４ｅに向けてノズルプレート４ａ及びオリフィス用ハウジング４ｂのみが上方へ変位可能となり、また、ガス噴出ノズル３ａへの必要以上な加重負担をかけることなくノズルプレート４ａ、オリフィス用ハウジング４ｂのみを組み付けできることも相俟って、弁操作レバー１３による開弁操作がより円滑に行える。【選択図】 図２
0003138957.tif 000002
【実用新案登録請求の範囲】
【請求項１】
ガス噴出ノズルの先端側に配設されるノズルプレートと、該ノズルプレートを保持するためのオリフィス用ハウジングと、該オリフィス用ハウジングに組み付けられた混合管と、該混合管と同心状に配設された拡散器と、該拡散器を囲繞すべく配設された燃焼筒との全て又はいずれかを選択又は組み合わせてなる内燃機構において、
前記拡散器の下位に混合管を介することなくノズルプレート及び／又はオリフィス用ハウジングを変位自在に配置してなることを特徴とする内燃機構。
【請求項２】
前記内燃機構は、ガス噴出ノズルの先端側に延長ノズルを介して連通される二次ノズルと、該二次ノズルの頂端側に封緘されるノズルプレートと、同ノズルプレートを保持するためのオリフィス用ハウジングと、該ハウジングと同心状に配設された拡散器と、該拡散器を囲繞すべく組み付けられた燃焼筒と、該燃焼筒を保持するためのパイプホルダーと、前記二次ノズル及び／又は延長ノズルを位置決め保持するためのノズルホルダーとを備えてなることを特徴とする請求項１に記載の内燃機構。
【請求項３】
前記ノズルホルダーは、プレミキシングに必要な空気を下位から供給する空気供給路を備えたことを特徴とする請求項２に記載の内燃機構。
【考案の詳細な説明】
【技術分野】
【０００１】
本考案は、主としてガスライターに使用される内燃機構の改良に関し、更に詳しくは、混合管を使用することなく耐風性に優れたバーナー着火を実現することができる有用な内燃機構に関する。
【背景技術】
【０００２】
従来、斯かる内燃機構としては、ガスタンクからの燃料ガスを流速を強めて噴出させるノズルプレートと、該ノズルプレートを流速を強めて通過することにより生ずる負圧によって空気を吸い込ませる吸気孔を有し、燃料ガスと空気との混合を促進させる混合管と、この混合ガスの流速を減速し拡散させるために前記混合管と連設された拡散器と、該拡散器により空気と混合されたガス（混合ガス）を更に減速と拡散をさせて点火と燃焼に充分な流速の空気との混合ガスにすべく前記拡散器に連設された燃焼筒と、該燃焼筒内の可燃焼ガスに点火する点火手段とを備えることにより、ライター本体内で着火燃焼が行なわれるように構成されている（例えば、特許文献１参照）。
【特許文献１】特開昭６３−９１４３１号公報
【考案の開示】
【考案が解決しようとする課題】
【０００３】
しかしながら、上述した従来の内燃機構にあっては、部品点数が多いため、組み立てに時間を要するといった問題があり、特に、内燃機構を構成するノズルプレート、混合管、拡散器、燃焼筒の組み付けが面倒であると共に、これらがガス噴出ノズル上に重合状態に支持されるため、同ガス噴出ノズルへにかかる負担（加重負担）が大きくなり、弁操作レバーによるガス噴出ノズルの引き出し(開弁)操作がなしづらいといった問題を有するものであった。
【０００４】
本考案はこのような従来の問題点に鑑みてなされたもので、弁操作レバーによるガス噴出ノズルの開弁操作がより円滑に行えると共に、組み付けが頗る簡単で低コストの内燃機構を提供することを目的としたものである。
【課題を解決するための手段】
【０００５】
上述の如き従来の問題点を解決し、所期の目的を達成するため本考案の要旨とする構成は、ガス噴出ノズルの先端側に配設されるノズルプレートと、該ノズルプレートを保持するためのオリフィス用ハウジングと、該オリフィス用ハウジングに組み付けられた混合管と、該混合管と同心状に配設された拡散器と、該拡散器を囲繞すべく配設された燃焼筒との全て又はいずれかを選択又は組み合わせてなる内燃機構において、前記拡散器の下位に混合管を介することなくノズルプレート及び／又はオリフィス用ハウジングを変位自在に配置してなる内燃機構に存する。
【０００６】
また、内燃機構は、ガス噴出ノズルの先端側に延長ノズルを介して連通される二次ノズルと、該二次ノズルの頂端側に封緘されるノズルプレートと、同ノズルプレートを保持するためのオリフィス用ハウジングと、該ハウジングと同心状に配設された拡散器と、該拡散器を囲繞すべく組み付けられた燃焼筒と、該燃焼筒を保持するためのパイプホルダーと、前記二次ノズル及び／又は延長ノズルを位置決め保持するためのノズルホルダーとを備えるのが良い。
【０００７】
更に、前記ノズルホルダーは、プレミキシングに必要な空気を下位から供給する空気供給路を備えるのが良い。
【考案の効果】
【０００８】
本考案は上述のように構成され、前記拡散器の下位に混合管を介することなくノズルプレート及び／又はオリフィス用ハウジングを変位自在に配置してなることによって、ガス噴出ノズルへの必要以上な加重負担をかけることなく簡単に組み付けできるため、弁操作レバーによるガス噴出ノズルの開弁操作がより円滑に行え、また、従来の内燃機構に比して構成が単純であるため、組立時間の短縮化が図れると共に、大量生産に適し、価格も低廉なものとして需用者に供給できるといった効果を奏する。
【０００９】
また、内燃機構が、ガス噴出ノズルの先端側に延長ノズルを介して連通される二次ノズルと、該二次ノズルの頂端側に封緘されるノズルプレートと、同ノズルプレートを保持するためのオリフィス用ハウジングと、該ハウジングと同心状に配設された拡散器と、該拡散器を囲繞すべく組み付けられた燃焼筒と、該燃焼筒を保持するためのパイプホルダーと、前記二次ノズル及び／又は延長ノズルを位置決め保持するためのノズルホルダーとを備えることによって、前記ガス噴出ノズルと二次ノズルとを連結する延長ノズルの取付作業が効率良く、かつ、確実に行えると共に、仮令、前記ガス噴出ノズルから遠ざかる位置に炎口を有する点火棒に搭載する場合であっても、先端の炎口から確実にバーナー着火が行える内燃機構を提供できるといった効果を奏する。
【００１０】
更に、前記ノズルホルダーが、プレミキシングに必要な空気を下位から供給する空気供給路を備えることによって、オリフィス部分を阻害する外部からの塵の侵入を防止することができるといった効果を奏する。
【考案を実施するための最良の形態】
【００１１】
前記拡散器の下位に混合管を介することなくノズルプレート及び／又はオリフィス用ハウジングを変位自在に配置せしめる。また、点火棒に搭載する際は、ガス噴出ノズルの先端側に延長ノズルを介して連通される二次ノズルと、該二次ノズルの頂端側に封緘されるノズルプレートと、同ノズルプレートを保持するためのオリフィス用ハウジングと、該ハウジングと同心状に配設された拡散器と、該拡散器を囲繞すべく組み付けられた燃焼筒と、該燃焼筒を保持するためのパイプホルダーと、前記二次ノズル及び／又は延長ノズルを位置決め保持するためのノズルホルダーとを備えるのが良い。
【実施例】
【００１２】
次に本考案に係る内燃機構を備えた点火棒付きピエゾライターの実施の一例を図面を参照しながら説明する。図中Ａは、点火棒付きピエゾライターであり、このピエゾライターＡは、所定大きさのライター本体１と、該ライター本体１内に液化ガスを封入せしめるガスタンク２と、該ガスタンク２の頂部に上蓋を介して組み付けられたバルブ機構３と、ライター本体１の頂部に点火棒５を介して組み付けられた内燃機構４(図２参照)とを備えている。
【００１３】
バルブ機構３は、筒蓋状のノズル螺旋３ａと、該ノズル螺旋３ｂの下方開口部に嵌合された有底筒状のノズル底栓体３ｂとで内部に弁室（図示せず）を形成しているもので、この弁室内には、Ｏリング、スプリングを介してガス噴出ノズル３ｃが上端を前記ノズル螺旋３ａの開口より外方へ突出すべく装着されている。
【００１４】
更に、ノズル底栓体３ｂの底面には、モルト等のフィルター３ｄ並びに釘状固定子３ｅ等を介して液化ガス吸上部材３ｆが装着されている。この液化ガス吸上部材３ｆは、上端がノズル底栓体３ｂ内に連結支持され下端が前記ガスタンク２内に延出すべく組み付けられたチューブ管からなり、必要に応じて中に焼結芯等を充填させても良い。
【００１５】
釘状固定子３ｅは、着火によりガスタンク２内の気化熱が奪われるのを阻止するものであり、上端側が前記フィルター３ｄの底面に接触し下端側が液化ガス吸上部材３ｅ内に延出するように形成されている。
【００１６】
また、前記ガス噴出ノズル３ａの上位には、延長ノズル３ｇが連結されている。この延長ノズル３ｇは、導電性材料からなり、点火棒５の長手方向に沿って挿着され、下端側がガス噴出ノズル３ｃの先端に連通され、上端に二次ノズル３ｈが連設されている。
【００１７】
二次ノズル３ｈは、ノズルホルダー６を介して点火棒５の径方向中心に位置すべく保持されている。ノズルホルダー６は、二次ノズル３ｈ及び前記延長ノズル３ｇを点火棒５内に位置決め保持するためのものであり、点火棒５に内設されたセラミック製又はナイロン製のバーナーパイプホルダー８を支持すべく嵌合されている。
【００１８】
また、このノズルホルダー６は、点火棒５内に介在されることで、プレミキシングに必要な空気を点火棒５の下位から内燃機構４へ供給せしめる空気供給路６ａ，６ａを確保せしめている。
【００１９】
他方、内燃機構４は、二次ノズル３ｈの頂端に封緘されたノズルプレート４ａと、該ノズルプレート４ａを保持するためのオリフィス用ハウジング４ｂと、該オリフィス用ハウジング４ｂその上位に一定間隔を介して同心状に配設された拡散器４ｄと、該拡散器４ｄを囲繞すべく配設された燃焼筒４ｅとを備えている。
【００２０】
換言すれば、拡散器４ｄは、燃焼筒４ｅの同心位置に支持されると共に、常套の混合管(図示せず)が介在しない分、同燃焼筒４ｅに向けて前記ノズルプレート４ａ及びオリフィス用ハウジング４ｂのみが上方へ変位可能となり、また、ガス噴出ノズル３ａへの必要以上な加重負担をかけることなくノズルプレート４ａ及びノズルプレート４ａのみを組み付けできることも相俟って、後述する弁操作レバー１３によるガス噴出ノズル３ａの開弁操作がより円滑に行えるのである。
【００２１】
また、燃焼筒４ｅは、点火棒５を構成する前記バーナーパイプホルダー８に支持されており、前記ノズルホルダー６と協働して内燃機構４を安定的に保持している。
【００２２】
点火棒５は、金属製の筒体からなり、先端側に燃焼筒冷却用空気孔５ａが等間隔で周設されると共に、頂部に炎口５ｂが開口されている。また、点火棒５の内周面には、例えば、セラミック製又はナイロン製のバーナーパイプホルダー８が内装されており、着火時に点火棒５そのものが熱くならないように工夫されている。
【００２３】
圧電ユニット１１は、上下方向に伸縮するように相互に嵌め合わされた透明なポリカーボネート樹脂からなる外箱１１ａと内箱１１ｂとを有し、その間にはハンマースプリング、ハンマー、復帰スプリング、ヒッティング、圧電素子等からなる打撃機構が組み付けられている。
【００２４】
また、圧電ユニット１１には、前記金属棒５と電気的に接続される導電体１１ｃが配設されおり、後述する着火操作子１２の操作により同圧電ユニット１１の内箱１１ｂが完全に押し込み動作された際に、打撃機構が働き導電体１１にて金属棒５に通電され燃焼筒４ｅ内に向けて火花放電(スパーク)されることとなる。
【００２５】
着火操作子１２は、圧電ユニット１１の上位に組み付けされており、着火操作子１２の押し込み動作によって自動的にガス噴出ノズル３ｃの弁が開かれると共に、瞬時に放電端子(図示せず)から火花放電が発生し前記内燃機構４を介してバーナー着火がなされるように組み付けされている。
【００２６】
弁操作レバー１３は、導電性材料によって成形されており、先端１３ａ側がガス噴出ノズル３ｃの頸部に係止され、後端１３ｂ側が前記着火操作子１２にて押し込まれるべく配設されている。
【００２７】
このように構成されるピエゾライターは、着火操作子１２を押込操作することによって、圧電ユニット１１の動作部（内箱１１ｂ）が押し下げられると共に弁操作レバー１３を押し込むべく作動して同レバー１３の先端１３ａ側を開弁方向に動作せしめバルブ機構３を開き方向に動作させて前記ガス噴出ノズル３ｃからガスを噴出させると共に、前記圧電ユニット１１が完全に押し込み動作されて打撃機構が働き、ハンマースプリング、アースを介して通電回路が得られ、導電体１１ｃを介して点火棒５内の放電端子を兼ねた加熱触媒(火炎表示板)９と燃焼筒４ｅ内にある拡散器４ｄの頂部との間に高電圧差が発生し、前記噴出ガスに火花放電（スパーク）によって点火棒５の炎口５ｂからバーナー状の火炎に着火することができる。
【００２８】
尚、本考案の内燃機構は、本実施例に限定されることなく、本考案の目的の範囲内で自由に設計変更し得るものであり、本考案はそれらの全てを包摂するものである。
【図面の簡単な説明】
【００２９】
【図１】本考案に係る内燃機構を備えた点火棒付きライターの縦断面図である。
【図２】本実施例で使用する点火棒の要部を示す縦断面図である。
【図３】本実施例で使用する点火棒の先端側を示す説明図である。
【図４】本実施例で使用する点火棒のI−I線断面図である。
【図５】本実施例で使用する点火棒の頂部端面図である。
【符号の説明】
【００３０】
１  ライター本体
２  ガスタンク
３  バルブ機構
３ａ  ノズル螺旋
３ｂ  ノズル底栓体
３ｃ  ガス噴出ノズル
３ｄ  フィルター
３ｅ  釘状固定子
３ｆ  液化ガス吸上部材
３ｇ  延長ノズル
３ｈ  二次ノズル
４  内燃機構
４ａ  ノズルプレート
４ｂ  オリフィス用ハウジング
４ｃ  オリフィス
４ｄ  拡散器
４ｅ  燃焼筒
５  点火棒
５ａ  燃焼筒冷却用空気孔
５ｂ  炎口
６  ノズルホルダー
６ａ  空気供給路
７  導線
８  バーナーパイプホルダー
９  加熱触媒
１１  圧電ユニット
11ａ  外箱
11ｂ  内箱
11ｃ  導電体
１２  着火操作子
１３  弁操作レバー
13ａ  先端
13ｂ  下端
【図１】
0003138957.tif 000003
【図２】
0003138957.tif 000004
【図３】
0003138957.tif 000005
【図４】
0003138957.tif 000006
【図５】
0003138957.tif 000007